(57)【要約】【課題】組み立てが容易であり、外観の意匠性に優れた美容器を提供する。【解決手段】美容器１は、電気部品と、電気部品を収容するための中空部を備えたハウジング２とを有している。ハウジング２は、電気絶縁性を有する第１部品２１と、電気伝導性を有する第２部品２２と、電気絶縁性を有する第３部品２３と、電極部１４とを有している。第２部品２２は、第１部品２１に接合されている。第１部品２１と第２部品２２との間には中空部が形成されている。第３部品２３は、第２部品の外表面の一部を覆っている。第２部品２２は、第３部品２３に覆われることなく露出した露出部分の少なくとも一部からなる電極部１４を有している。電極部１４は、電気部品と電気的に接続されている。【選択図】図１
2018007906.tif 000002
【特許請求の範囲】
【請求項１】
電気部品と、該電気部品を収容するための中空部を備えたハウジングとを有する美容器であって、
上記ハウジングは、
電気絶縁性を有する第１部品と、
上記第１部品との間に上記中空部を設けるように上記第１部品に接合された電気伝導性を有する第２部品と、
上記第２部品の外表面の一部を覆う電気絶縁性を有する第３部品とを有しており、
上記第２部品は、上記第３部品に覆われることなく露出した露出部分の少なくとも一部からなる電極部を有しており、
上記電極部は、上記電気部品と電気的に接続されている、美容器。
【請求項２】
上記電極部は、上記ハウジングの外表面における、上記第１部品と上記第２部品との境界に沿って配置されている、請求項１に記載の美容器。
【請求項３】
上記ハウジングは棒状を呈しており、上記第１部品及び上記第２部品は、上記ハウジングの長手方向に沿って延びている、請求項１または２に記載の美容器。
【請求項４】
上記ハウジングは、更に、上記第１部品と上記第２部品との間に挟持されたシール部材を有している、請求項１〜３のいずれか１項に記載の美容器。
【発明の詳細な説明】
【技術分野】
【０００１】
本発明は、美容器に関する。
【背景技術】
【０００２】
肌の美容のために用いられる美容器には、使用者が把持するハンドルの表面に電極を有するものがある。この電極は、例えばイオン導入やイオン導出（イオンクレンジング）、ＥＭＳ（Electrical  Muscle  Stimulation）等の、肌に美容効果を付与するための電流を肌に供給する回路や、使用者がハンドルを把持していることを検知する回路の一部として構成されている。
【０００３】
例えば、特許文献１には、ハンドルの表面が上記電極としての導電膜に覆われている美容器の例が開示されている。また、特許文献２には、ハンドルを兼ねる本体ケースの表面に電極が取り付けられている美容器の例が開示されている。
【先行技術文献】
【特許文献】
【０００４】
【特許文献１】特開２０１２−８５８０８号公報
【特許文献２】特開２０１５−９７９２３号公報
【発明の概要】
【発明が解決しようとする課題】
【０００５】
美容器の分野においては、一般的に、性能や機能だけではなく、外観の意匠性にも優れていることが求められる場合が多い。しかし、特許文献１のように、ハンドルの表面が電極で覆われている美容器においては、使用者がハンドルを把持した際等に、電極の表面に使用者の手の跡等の汚れが付着しやすい。美容器の使用後にこのような汚れが視認されると、外観の意匠性が損なわれるおそれがある。
【０００６】
電極に付着した汚れを目立ちにくくするためには、電極の面積を小さくする方法が考えられる。しかし、例えば特許文献２のように、電極がハンドルとは別の部品として構成されている場合には、電極の寸法が小さくなるため、ハンドルへの電極の取り付け作業や、電極を電気回路に電気的に接続する作業等における作業性の悪化を招くおそれがある。
【０００７】
本発明は、かかる背景に鑑みてなされたものであり、組み立てが容易であり、外観の意匠性に優れた美容器を提供しようとするものである。
【課題を解決するための手段】
【０００８】
本発明の一態様は、電気部品と、該電気部品を収容するための中空部を備えたハウジングとを有する美容器であって、
上記ハウジングは、
電気絶縁性を有する第１部品と、
上記第１部品との間に上記中空部を設けるように上記第１部品に接合された電気伝導性を有する第２部品と、
上記第２部品の外表面の一部を覆う電気絶縁性を有する第３部品とを有し、
上記第２部品は、上記第３部品に覆われることなく露出した露出部分の少なくとも一部からなる電極部を有しており、
上記電極部は、上記電気部品と電気的に接続されている、美容器にある。
【発明の効果】
【０００９】
上記美容器は、上記第１部品と、該第１部品に接合された上記第２部品と、該第２部品の外表面の一部を覆う上記第３部品と、上記第２部品の露出部分の少なくとも一部からなる上記電極部とを有している。そのため、上記第３部品の形状を変更することにより、上記電極部の位置及び形状を種々の態様に容易に変更することができる。それ故、上記美容器は、汚れ等が付着した際に目立ちにくい位置に上記電極部を配置することができる。さらに、上記電極部を、上記美容器の用途に応じた適切な位置に配置することも容易である。
【００１０】
また、上記電極部は、上記第２部品の露出部分の少なくとも一部から構成されている。そのため、従来の美容器のように、汚れ等を目立ちにくくするために、電極部を構成する部品の寸法を小さくする必要がない。その結果、上記美容器の組み立て作業における作業性の悪化を容易に回避することができる。
【００１１】
また、上記中空部は、上記第１部品及び上記第２部品により囲まれた空間である。そのため、外部空間から上記中空部内への汗や水分等の浸入を防止するためのシール部材を設ける際に、シール部材の数を低減することができる。
【００１２】
以上のように、上記美容器は、汚れ等が付着した際に目立ちにくい位置に上記電極部を配置することができる。そのため、上記電極部に付着した汚れが目立ちにくく、優れた意匠性を有する。また、上記美容器は、組み立て作業における作業性の悪化を容易に回避することができ、組み立てが容易である。
【図面の簡単な説明】
【００１３】
【図１】実施例１における、美容器の斜視図である。
【図２】実施例１における、美容器の下面図である。
【図３】実施例１における、美容器の側面図である。
【図４】実施例１における、美容器の部品展開図である。
【図５】実施例１における、美容器のヘッド部にモータ保持部を取り付けた状態の上面図である。
【図６】図５のVI−VI線一部矢視断面図である。
【図７】図６の要部を拡大した図である。
【図８】実施例１における、モータベースの側面図である。
【図９】実施例１における、モータ保持部の上面図である。
【図１０】図９のX−X線矢視断面図である。
【図１１】実施例１における、弾性部材の斜視図である。
【図１２】実施例１における、ブラシホルダーの下面図である。
【図１３】実施例１の美容器を充電するための充電台の正面図である。
【図１４】図１３の充電台の側面図である。
【図１５】図１３のXV−XV線矢視断面図である。
【図１６】実施例２における、一対の回転体を備えた美容器の斜視図である。
【発明を実施するための形態】
【００１４】
上記美容器において、上記電極部は、上記ハウジングの外表面における、上記第１部品と上記第２部品との境界に沿って配置されていてもよい。この場合には、電極部が上記境界に沿って線状に形成されるため、電極部に付着する汚れ等をより目立ちにくくすることができる。また、この場合には、第２部品及び第３部品の形状をより簡素化し、第２部品に第３部品を取り付ける作業の作業性をより向上させることができる。
【００１５】
上記ハウジングは棒状を呈しており、上記第１部品及び上記第２部品は、上記ハウジングの長手方向に沿って延びていてもよい。この場合には、上記第１部品及び上記第２部品の形状を簡素化することができるとともに、第１部品と第２部品との間に上記電気部品を配置する作業の作業性をより向上させることができる。
【００１６】
また、上記の場合においては、さらに、第１部品と第２部品との境界に沿って電極部を配置することが好ましい。この場合には、ハウジングの長手方向において、電極部を広範囲に亘って線状に形成することができるため、使用者がハウジングを把持した際に、使用者の手と電極部とがより接触しやすくなる。また、この場合には、ハウジングにおける長手方向に沿う両側面に連続的に電極部を配置することができる。そのため、使用者がハウジングの長手方向における端部などを把持するなどの偏った握り方をした場合にも、使用者の手が電極部に接触しやすくなる。その結果、上記美容器の使い勝手をより向上させることができる。
【００１７】
さらに、この場合には、電極部の幅を狭くできるため、上述したように、電極部に付着する汚れ等をより目立ちにくくする効果、及び、第２部品に第３部品を取り付ける作業の作業性をより向上させる効果を得ることもできる。
【００１８】
上記第２部品は、上記第３部品により覆われる部分に締結孔を有しており、上記第１部品は、上記締結孔を介して挿入されたネジにより上記第２部品に締結されていてもよい。この場合には、上記締結孔及び上記ネジを、第３部品により覆い隠すことができる。そのため、美容器の意匠性をより向上させることができる。
【００１９】
また、この場合には、第１部品と第２部品との当接部分において、クリアランスを容易に小さくすることができる。そのため、両者の当接部分から中空部内への汗や水分等の浸入を抑制することができる。
【００２０】
上記ハウジングは、更に、上記第１部品と上記第２部品との間に挟持されたシール部材を有していてもよい。この場合には、第１部品と第２部品との当接部分から中空部内への汗や水分等の浸入を防止することができる。シール部材としては、ゴムパッキンやゴムシート等の公知のシール部材を使用することができる。
【００２１】
第２部品は、電気伝導性を有するクロムめっき膜により覆われていてもよい。この場合には、上記電極部に高い光沢を容易に付与することができる。その結果、美容器の意匠性をより向上させることができる。
【００２２】
上記第２部品と上記電気部品との間には、電気伝導性を有する通電部材が介在しており、上記第２部品と上記電気部品とが上記通電部材を介して電気的に接続されていてもよい。この場合には、上記第２部品の内表面に上記通電部材を当接させるという単純な作業により、上記第２部品と上記電気部品とを電気的に接続することができる。そのため、上記美容器の組立作業における作業性をより向上させることができる。
【実施例】
【００２３】
（実施例１）
上記美容器の実施例を、図を用いて説明する。図４に示すように、美容器１は、電気部品１２と、電気部品１２を収容するための中空部２５（図６参照）を備えたハウジング２とを有している。図１〜図４に示すように、ハウジング２は、電気絶縁性を有する第１部品２１と、電気伝導性を有する第２部品２２と、電気絶縁性を有する第３部品２３と、電極部１４とを有している。図６に示すように、第２部品２２は、第１部品２１に接合されている。また、第１部品２１と第２部品２２との間には中空部２５が形成されている。図１〜図３に示すように、第３部品２３は、第２部品の外表面の一部を覆っている。第２部品２２は、第３部品２３に覆われることなく露出した露出部分の少なくとも一部からなる電極部１４を有している。電極部１４は、電気部品１２と電気的に接続されている。
【００２４】
図１〜図３に示すように、本例のハウジング２は棒状を呈している。また、第１部品２１及び第２部品２２は、ハウジング２の長手方向に沿って延びている。
【００２５】
本例の美容器１において、長手方向におけるハウジング２の断面形状は略楕円状を呈している。また、図２及び図３に示すように、長手方向におけるハウジング２の中央部２０は、両端部に比べてわずかに細くなっている。
【００２６】
第２部品２２の外周端縁には、その全周に亘って、第１部品の外周端縁に当接するフランジ部２２３が形成されている。本例の第３部品２３は、第２部品２２のフランジ部２２３がハウジング２の外表面に露出するようにして、ハウジング２の長手方向に沿って延びている。そして、第１部品２１と第３部品２３との間に露出したフランジ部２２３の外表面が電極部１４を構成している。電極部１４は、ハウジング２の外表面における、第１部品２１と第２部品２２との境界に沿って配置されている。
【００２７】
図４に示すように、第２部品２２は、第３部品２３により覆われる部分に締結孔２２４を有している。また、第１部品２１は、締結孔２２４を介して挿入されたネジ２２１（図６参照）により第２部品２２に締結されている。
【００２８】
第３部品２３の外周端縁には、第３部品２３と第２部品２２とを係合するための突起部（図示略）が形成されている。また、第２部品２２には、この突起部を収容するための被係合部２２５（図４参照）がフランジ部２２３に沿って形成されている。図には示さないが、第３部品２３と第２部品２２とが係合された状態において、第３部品２３の突起部は、第２部品２２の被係合部２２５（図４参照）内に収容されている。
【００２９】
図６に示すように、第１部品２１と第２部品２２との間には、美容器１を動作させるための部品を収容する中空部２５が形成されている。図４〜図６に示すように、第１部品２１の外周端縁と第２部品２２のフランジ部２２３との間には、シール部材としてのゴムパッキン２１１が狭持されている。また、図６に示すように、第２部品２２と、これを第１部品２１に締結するネジ２２１との間にもゴムパッキン２２２が狭持されている。美容器１は、これらのゴムパッキン２１１、２２２により、第１部品２１と第２部品２２との間から中空部２５内への水分等の浸入を防止することができるように構成されている。
【００３０】
第１部品２１及び第３部品２３は、電気絶縁性を有するＡＢＳ樹脂より構成されている。また、第２部品２２は、電気伝導性を有するクロムめっき膜により覆われたＡＢＳ樹脂より構成されている。
【００３１】
図４及び図６に示すように、電気部品１２は、中空部２５内に配置されている。また、第２部品２２と制御基板１２１との間には、電気伝導性を有する通電部材１２４が介在しており、電極部１４と制御基板１２１とは、通電部材１２４及び第２部品２２を介して電気的に接続されている。より具体的には、本例の電気部品１２は、図４に示すように、ハウジング２の長手方向における中央部に配置されている。電気部品１２は、制御基板１２１と、制御基板１２１に電力を供給する電源部１２２とを有している。制御基板１２１と電源部１２２とは互いに係合されている。
【００３２】
本例の通電部材１２４は、具体的には、金属製のバネである。図４〜図６に示すように、通電部材１２４の一端は制御基板１２１に接続されており、他端は第２部品２２の内表面に設けられたクロムめっき膜に当接している。これにより、電極部１４が、通電部材１２４及び第２部品２２表面のクロムめっき膜を介して制御基板１２１と電気的に接続されている。
【００３３】
本例の美容器の作用効果について説明する。美容器１は、第１部品２１と、第１部品２１に接合された第２部品２２と、第２部品２２の外表面の一部を覆う第３部品２３と、第２部品２２の露出部分の少なくとも一部からなる電極部１４とを有している。そのため、第３部品２３の形状を変更することにより、電極部１４の位置及び形状を種々の態様に容易に変更することができる。それ故、美容器１は、汚れ等が付着した際に目立ちにくい位置に電極部１４を配置することができる。
【００３４】
また、電極部１４は、第２部品２２の露出部分の少なくとも一部から構成されている。そのため、従来の美容器のように、汚れ等を目立ちにくくするために、電極部を構成する部品の寸法を小さくする必要がない。その結果、美容器１の組み立て作業における作業性の悪化を容易に回避することができる。
【００３５】
電極部１４は、ハウジング２の外表面における、第１部品２１と第２部品２２との境界に沿って配置されている。これにより、電極部１４に付着する汚れ等をより目立ちにくくすることができる。また、この場合には、第２部品２２及び第３部品２３の形状をより簡素化し、第２部品２２に第３部品２３を取り付ける作業の作業性をより向上させることができる。
【００３６】
ハウジング２は棒状を呈しており、第１部品２１及び第２部品２２は、ハウジング２の長手方向に沿って延びている。そのため、第１部品２１及び第２部品２２の形状を簡素化することができるとともに、第１部品２１と第２部品２２との間に電気部品を配置する作業の作業性をより向上させることができる。
【００３７】
また、本例の電極部１４は、ハウジング２の長手方向において、広範囲に亘って線状に形成されている。そのため、使用者がハウジング２を把持した際に、使用者の手と電極部１４とがより接触しやすくなる。その結果、美容器１の使い勝手をより向上させることができる。
【００３８】
第２部品２２は、第３部品２３により覆われる部分に締結孔２２４を有しており、第１部品２１は、締結孔２２４を介して挿入されたネジ２２１により第２部品２２に締結されている。そのため、締結孔２２４及びネジ２２１を、第３部品２３により覆い隠すことができる。その結果、美容器１の意匠性をより向上させることができる。
【００３９】
第２部品２２は、電気伝導性を有するクロムめっき膜により覆われている。そのため、電極部１４に高い光沢を容易に付与し、美容器１の意匠性をより向上させることができる。
【００４０】
第２部品２２と電気部品１２との間には、電気伝導性を有する通電部材１２４が介在しており、第２部品２２と電気部品１２とが通電部材１２４を介して電気的に接続されている。そのため、第２部品２２の内表面に通電部材１２４を当接させるという単純な作業により、第２部品２２と電気部品１２とを電気的に接続することができる。その結果、美容器１の組立作業における作業性をより向上させることができる。
【００４１】
以上のように、美容器１は、汚れ等が付着した際に目立ちにくい位置に電極部１４を配置することができる。そのため、電極部１４に付着した汚れが目立ちにくく、優れた意匠性を有する。また、美容器１は、組み立て作業における作業性の悪化を容易に回避することができ、組み立てが容易である。
【００４２】
本例の美容器１のその他の部分について説明する。本例の美容器１は、ハウジング２の外側に配置されたブラシ部３と、ハウジング２の中空部２５内に配置され、ブラシ部３を振動させる振動モータ４とを有している。美容器１は、ブラシ部３を振動させつつ肌に当接させることにより、肌の表面や毛孔の内部に付着した汚れ等を除去することができるように構成されている。
【００４３】
具体的には、美容器１は、図６に示すように、偏心錘４１を備えた回転軸４２を有する振動モータ４と、振動モータ４を保持するモータ保持部５と、ハウジング２に対してモータ保持部５を相対的に変位可能な状態で連結する連結部１１（１１ａ、１１ｂ）と、モータ保持部５から延設され、ブラシ部３に接続されるブラシ取り付け部６とを有している。そして、図６に示すように、ブラシ取り付け部６は、振動モータ４における回転軸４２の軸心方向４２０と異なる方向に延設されている。
【００４４】
図４〜図６に示すように、振動モータ４及びモータ保持部５はハウジング２の長手方向における端部に収容されている。なお、図４〜図６においては、簡略化のため、ネジや電線等の接続部品の記載を一部省略している。
【００４５】
図５及び図６に示すように、振動モータ４の回転軸４２は、ハウジング２の長手方向に沿って伸びている。また、図６に示すように、ブラシ取り付け部６は、振動モータ４における回転軸４２の軸心方向４２０に対して直角方向に延設されている。ブラシ取り付け部６は、ハウジング２の外部まで延設されている。また、ブラシ取り付け部６の先端には、ブラシ部３が着脱可能に取り付けられている。
【００４６】
図１〜図３に示すように、本例のブラシ部３は、ハウジング２の側周面に配置されている。また、本例のブラシ部３は、ブラシ取り付け部６の延設方向に沿って延びた多数の繊維を有している。
【００４７】
以下において、振動モータ４における回転軸４２の軸心方向４２０を「前後方向Ｘ」、前後方向Ｘにおける振動モータ４が収容されている側を「前方Ｘ１」、その反対側を「後方Ｘ２」ということがある。また、ブラシ取り付け部６の延設方向を「上下方向Ｚ」、上下方向Ｚにおけるブラシ部３側を「下方Ｚ２」、その反対側を「上方Ｚ１」ということがある。また、前後方向Ｘ及び上下方向Ｚの両方に直交する方向を「幅方向Ｙ」ということがある。美容器１の方向に関するこれらの記載はいずれも便宜上のものであり、美容器１を実際に使用する際の向きとは何ら関係がない。
【００４８】
図１〜図３に示すように、ハウジング２の下側半分の外壁は、第１部品２１から構成されている。また、ハウジング２の上側半分の外壁は、第３部品２３から構成されている。第１部品２１と第３部品２３との間には、第２部品２２のフランジ部２２３が露出している。
【００４９】
図６に示すように、第１部品２１は、ブラシ取り付け部６が突出している開口部２１２の周囲に、ブラシ収容壁部２１４を有している。ブラシ収容壁部２１４は、第１部品２１から下方Ｚ２に向かって立設されている。また、ブラシ収容壁部２１４の内側には、ブラシ部３が着脱可能に取り付けられている。
【００５０】
また、図４に示すように、第１部品２１は、前方Ｘ１の端部に、３本のガイド棒２４を有している。ガイド棒２４は、上方Ｚ１に向かって立設されている。また、ガイド棒２４の上端部には、Ｅリング２４１（図５及び図７参照）を取り付けるための係止溝２４２（図７参照）が形成されている。
【００５１】
図６に示すように、モータ保持部５は、ガイド棒２４に取り付けられるモータベース５１と、モータベース５１との間に振動モータ４を保持するモータカバー５２とを有している。図８〜図１０に示すように、モータベース５１は、板状部５１１と、板状部５１１から上方Ｚ１に向かって突出したモータ受け部５１２とを有している。本例の板状部５１１及びモータ受け部５１２は、ＡＢＳ樹脂から構成されている。
【００５２】
板状部５１１は、３箇所の貫通孔５１３（図１０参照）を有している。また、図７、図９及び図１０に示すように、貫通孔５１３には、弾性部材５３が上下方向Ｚの両側から取り付けられている。
【００５３】
本例の弾性部材５３は、スチレンゴムから構成されている。弾性部材５３は、図１１に示すように、ガイド棒２４が挿通される挿通孔５３１を備え、円盤状を呈するゴム基部５３２と、挿通孔５３１の周囲に立設された４箇所の突起５３３とを有している。各突起５３３の幅は、隣り合う突起５３３間の間隔と略同一となっている。
【００５４】
図１０に示すように、貫通孔５１３内においては、一対の弾性部材５３（５３ａ、５３ｂ）のうち一方の弾性部材５３ａにおける隣り合う突起５３３ａの間に他方の弾性部材５３ｂの突起５３３ｂが挿入されている。また、板状部５１１は、一対のゴム基部５３２（５３２ａ、５３２ｂ）の間に挟持されている。
【００５５】
図５〜図７に示すように、弾性部材５３には、第１部品２１のガイド棒２４が挿通されている。また、図６及び図７に示すように、ガイド棒２４は、弾性部材５３の上端面よりも上方Ｚ１に突出している。図７に示すように、この突出部分には、Ｅリング２４１を取り付ける係止溝２４２が形成されている。
【００５６】
図５及び図７に示すように、係止溝２４２にＥリング２４１を取り付けることにより、第１部品２１に対してモータベース５１を相対的に変位可能な状態で連結することができる。このように、本例の連結部１１は、モータベース５１の板状部５１１に保持された弾性部材５３と、第１部品２１に設けられたガイド棒２４と、係止溝２４２に取り付けられたＥリング２４１とから構成されている。また、本例の美容器１は、３箇所の連結部１１を有している。各連結部１１は、ハウジング２に設けられたガイド棒２４と、モータベース５１に保持された弾性部材５３とを有しており、ガイド棒２４は、弾性部材５３を貫通している。
【００５７】
モータカバー５２は、図５に示すネジ５２１によりモータ受け部５１２に締結されている。モータカバー５２とモータ受け部５１２との間には、振動モータ４が狭持されている。なお、本例のモータカバー５２は、ＡＢＳ樹脂から構成されている。
【００５８】
本例の振動モータ４は、シリンダ型の振動モータ４である。振動モータ４は、回転軸４２の軸心方向４２０がハウジング２の長手方向に沿うように配置されている。また、振動モータ４の偏心錘４１は、前後方向Ｘにおける前方Ｘ１側に配置されている。
【００５９】
図５及び図６に示すように、３箇所の連結部１１（１１ａ、１１ｂ）のうち２箇所の連結部１１ａは、振動モータ４の重心４０に対して回転軸４２の軸心方向４２０における前方Ｘ１側に配置されており、残る１箇所の連結部１１ｂは後方Ｘ２側に配置されている。
【００６０】
図９に示すように、ブラシ取り付け部６は、上面視において、３箇所の貫通孔５１３の中央に設けられている。図１０に示すように、ブラシ取り付け部６は、板状部５１１と一体に形成された筒状部６１と、筒状部６１を上下方向Ｚに貫通するシャフト６２とを有している。図６に示すように、筒状部６１の下方Ｚ２の端部は、第１部品２１の開口部２１２を介してハウジング２の外側まで延設されている。
【００６１】
また、開口部２１２における第１部品２１と筒状部６１との間は、シール部材２１３により塞がれている。このシール部材２１３により、開口部２１２から中空部２５内への水分等の浸入を防止することができる。なお、本例のシール部材２１３は、ニトリルゴムから構成されている。
【００６２】
本例のシャフト６２は、金属から構成されている。図６に示すように、シャフト６２の上方Ｚ１の端部は、中空部２５内まで延設されている。また、シャフト６２の上端面には、シャフト６２と電気部品１２とを電気的に接続するためのネジ孔６２１が設けられている。図８及び図１０に示すように、シャフト６２の下方Ｚ２の端部は、筒状部６１よりも下方Ｚ２に突出している。図８に示すように、この突出部分は、六角柱状を呈する回転規制部６２２と、回転規制部６２２から下方Ｚ２に突出したブラシ係合部６２３とを有している。ブラシ係合部６２３には、ブラシ部３を係合させるための溝部６２４が設けられている。
【００６３】
図６に示すように、ブラシ部３は、多数の繊維からなるブラシ本体３１と、ブラシ本体３１を保持するブラシホルダー３２とを有している。ブラシ本体３１の繊維は、上下方向Ｚ、即ち、ブラシ取り付け部６の延設方向に沿って延びている。
【００６４】
図１２に示すように、ブラシホルダー３２は、カップ状を呈するホルダー本体部３２１と、下面視におけるホルダー本体部３２１の中央に配置されたばねカバー３２２（図６参照）と、ホルダー本体部３２１とばねカバー３２２との間に保持されたブラシ装着ばね３２３とを有している。図４及び図１２に示すように、ホルダー本体部３２１の中央には、シャフト６２における回転規制部６２２（図８参照）の形状に対応した六角形の貫通孔３２４が形成されている。この貫通孔３２４に回転規制部６２２を挿入するとともに溝部６２４内にブラシ装着ばね３２３を係合させることにより、ブラシ部３を着脱可能に装着することができる。また、貫通孔３２４に回転規制部６２２を挿入することにより、ブラシ部３が装着された状態において、ブラシ取り付け部６を回転中心とするブラシ部３の回転運動を規制することができる。
【００６５】
本例の美容器１において振動モータ４の偏心錘４１を回転させると、その慣性により、振動モータ４が振動する。そして、振動モータ４の振動に伴って、モータ保持部５に微小な変位や傾きが発生する。モータ保持部５の変位や傾きの方向は、振動モータ４の回転数や、モータ保持部５等の具体的な形状等によって種々の方向に変化する。
【００６６】
そして、モータ保持部５が種々の方向に振動し、あるいは傾くことにより、前後方向Ｘ、幅方向Ｙ及び上下方向Ｚへの変位を組み合わせた複雑な変位を伴う振動をブラシ本体３１の毛先３１１に付与することができる。
【００６７】
図４及び図６に示すように、第１部品２１と第２部品２２との間の中空部２５には、電気部品１２及び振動モータ４に加えて、受電コイル部１３及び発光モジュール１６が収容されている。制御基板１２１は、振動モータ４、電源部１２２、受電コイル部１３及び発光モジュール１６のそれぞれと、図示しない電線を介して電気的に接続されている。
【００６８】
本例の電源部１２２は、二次電池である。受電コイル部１３は、前後方向Ｘにおける後方Ｘ２の端部に配置されている。受電コイル部１３は、美容器１の外部に配置した送電コイルから送信された電力を受信することができるように構成されている。受電コイル部１３が受信した電力は、制御基板１２１を介して電源部１２２に充電される。
【００６９】
より具体的には、本例の美容器１は、図１３〜図１５に示す充電台７を用いて充電することができる。充電台７は、図１５に示すように、美容器１の後方端部１７、即ち受電コイル部１３が内蔵されている側の端部の形状に対応する凹部７１を有しており、凹部７１内に美容器１の後方端部１７を差し込むことができるように構成されている。また、充電台７の内部には、送電コイル７２が収容されている。送電コイル７２は、美容器１の後方端部１７が凹部７１内に差し込まれた状態において、充電台７の壁部７１１及び第１部品２１（図示略）を介して受電コイル部１３と対面する位置に配置されている。
【００７０】
また、本例の美容器１は、使用時に肌に微弱な電流を流すことにより、電荷を有する汚れ成分等をより効率よく除去することができるように構成されている。即ち、図３、図４及び図６に示すように、本例のブラシ部３は、多数の繊維からなるブラシ本体３１と、ブラシ本体３１を保持するブラシホルダー３２と、ブラシホルダー３２の外表面に配置されたブラシ電極３２５とを有している。ブラシ電極３２５は、電気部品１２を介して電極部１４と電気的に接続されている。
【００７１】
本例のブラシ電極３２５は、電気伝導性を有するクロムめっき膜から構成されている。ブラシ電極３２５は、ホルダー本体部３２１の表面に設けられており、ブラシ装着ばね３２３を介してブラシ取り付け部６のシャフト６２と電気的に接続されている。また、シャフト６２の上方Ｚ１の端部に設けられたネジ孔６２１には、制御基板１２１から延設された電線の端子１２３（図５、図７参照）がネジにより締結されている。これにより、ブラシ電極３２５と電気部品１２とが電気的に接続されている。なお、ブラシホルダー３２を導電性材料で成形すれば、ブラシ電極３２５を省略し、ブラシホルダー３２がブラシ電極を兼ねることも可能である。
【００７２】
本例の美容器１は、下面視における第１部品２１の中央部に配置されたスイッチプレート１５（図２及び図３参照）を介して制御基板１２１の切り替えスイッチ（図示略）を押し込むことにより、振動モータ４のオン状態とオフ状態との切り替え、及び、ブラシ電極３２５と電極部１４とを介して肌に流す微弱電流の発生と停止との切り替えを行うことができるように構成されている。
【００７３】
また、図６に示すように、第１部品２１におけるブラシ収容壁部２１４の内側には、発光モジュール１６が配置されている。発光モジュール１６は、振動モータ４がオン状態になっているときに発光するように構成されている。
【００７４】
発光モジュール１６の下方Ｚ２は、蓋部１６１により覆われている。蓋部１６１とブラシ収容壁部２１４との間には、Ｏリング１６２が狭持されている。これにより、蓋部１６１とブラシ収容壁部２１４との間から発光モジュール１６側に水分等が浸入することを防止できる。
【００７５】
本例の美容器１においては、振動モータ４を保持するモータ保持部５が、ハウジング２に対して、連結部１１を介して相対的に変位可能な状態で連結されている。そのため、ハウジング２に対するモータ保持部５の相対的な位置を、ハウジング２から強く拘束されることなく比較的自由に変化させることができる。それ故、美容器１は、ハウジング２が固定された状態においても、振動モータ４の振動を、モータ保持部５及びこれから延設されたブラシ取り付け部６に効率よく伝達することができる。
【００７６】
また、ブラシ取り付け部６は、振動モータ４における回転軸４２の軸心方向４２０と異なる方向に延設されている。そのため、振動モータ４により付与されるブラシ取り付け部６の振動は、回転軸４２の軸心方向４２０（前後方向Ｘ）への変位と、軸心方向４２０に直交する任意の方向（幅方向Ｙ、上下方向Ｚ）への変位とを組み合わせた複雑な変位を伴うものとなる。そして、この振動がブラシ取り付け部６を介してブラシ部３に効率よく伝わることにより、毛穴の深さ方向（上下方向Ｚ）への変位と、この方向に直交する任意の方向（前後方向Ｘ、幅方向Ｙ）への変位とを組み合わせた複雑な振動を伴う振動をブラシ部３の毛先３１１に付与することができる。その結果、ブラシ部３により、肌の表面や毛穴の内部に付着している汚れ等を効率よく除去することができる。
【００７７】
さらに、ブラシ取り付け部６は、軸心方向４２０に対して直角方向（上下方向Ｚ）に延設されている。そのため、上述したブラシ取り付け部６の振動における、軸心方向４２０に直交する任意の方向（幅方向Ｙ、上下方向Ｚ）への振幅をより大きくすることができるとともに、軸心方向４２０（前後方向Ｘ）への振幅が過度に大きくなることを抑制することができる。そのため、ブラシ部３の毛先３１１を、毛穴の深さ方向により大きく振動させることができる。そのため、ブラシ部３の毛先３１１と肌の表面との摩擦をより軽減しつつ、毛穴の内部に付着している汚れ等をより効率よく除去することができる。
【００７８】
ブラシ取り付け部６は、これを回転中心とするブラシ部３の回転運動を規制する回転規制部６２２を有している。そのため、ブラシ部３の回転運動に伴って肌が擦られることを防止することができる。その結果、美容器１の使用中における肌への刺激をより低減することができる。
【００７９】
ブラシ部３は、ブラシ取り付け部６の延設方向に沿って延びた多数の繊維を有している。そのため、ブラシ取り付け部６の振動を効率よくブラシ部３の毛先に伝達することができる。その結果、肌の表面や毛穴の内部に付着している汚れ等をより効率よく除去することができる。
【００８０】
また、ブラシ部３は、多数の繊維からなるブラシ本体３１と、ブラシ本体３１を保持するブラシホルダー３２と、ブラシホルダー３２の外表面に配置されたブラシ電極３２５とを有している。ハウジング２は、内部に収容された電気部品１２と、外表面に配置された電極部１４とを有している。そして、ブラシ電極３２５と電極部１４とが電気部品１２を介して電気的に接続されている。
【００８１】
そのため、使用者が電極部１４を把持するとともに、ブラシ電極３２５と肌との間に電気伝導性を有する液状や泡状などの洗浄剤を介在させることにより、使用者、ブラシ電極３２５、電気部品１２及び電極部１４を含む閉回路を形成することができる。そして、この閉回路に微弱な電流を流すことにより、イオンクレンジングを実施し、電荷を有する汚れ成分を肌からより容易に除去することができる。
【００８２】
ここで、イオンクレンジングとは、ブラシ電極を肌に付着した汚れ成分とは反対の極性に帯電させることにより、汚れ成分をブラシ電極に引きつけて肌から汚れ成分を取り除きやすくする技術である。例えば、ブラシ電極をプラスに帯電させることで、マイナスに帯電している汚れ成分をブラシ電極に引きつけることができる。
【００８３】
本実施例のように、ブラシ電極と使用者との間の電流経路を洗浄剤から構成することにより、ブラシの毛として使用可能な材料の選択肢を広くすることができる。ブラシの毛としては、例えば合成樹脂等の非導電材料を使用することができる。また、熊野筆（登録商標）などを利用することもできる。
【００８４】
また、ハウジング２は棒状を呈しており、振動モータ４及びモータ保持部５はハウジング２の長手方向における端部に収容されている。そのため、使用者がハウジング２を容易に把持することができる。これにより、美容器１の使い勝手をより向上させることができる。
【００８５】
また、ブラシ部３は、ハウジング２の側周面に配置されている。そのため、使用者がブラシ部３の毛先を容易に肌に当接させることができる。これにより、美容器１の使い勝手をより向上させることができる。
【００８６】
（実施例２）
本例は、美容ローラーとして構成された美容器１０２の例である。なお、本実施例以降において用いる符号のうち、既出の実施例において用いた符号と同一のものは、特に説明のない限り、既出の実施例における構成要素等と同様の構成要素等を表す。
【００８７】
図１６に示すように、本例の美容器１０２は、棒状を呈するハウジング２０２と、図示しない支持軸を介してハウジング２０２に回転可能に保持された一対の回転体１７とを有している。ハウジング２０２は、一方向に伸びる把持部２６と、把持部２６の一端から拡開しつつ延設された一対の分枝部２７とを有している。回転体１７は、各分枝部２７の先端に保持されている。
【００８８】
ハウジング２０２は、第１部品２１と、第１部品２１に接合された第２部品２２と、第２部品２２の外表面の一部を覆う第３部品２３とを有している。第１部品２１及び第２部品２２は、把持部２６及び分枝部２７の全長に亘って伸びている。また、第３部品２３は、第２部品２２のフランジ部２２３がハウジング２０２の外表面に露出するようにして、第２部品２２の外表面の一部を覆っている。そして、第１部品２１と第３部品２３との間に露出したフランジ部２２３の外表面が電極部１４を構成している。電極部１４は、ハウジング２０２の外表面における、第１部品２１と第２部品２２との境界に沿って配置されている。
【００８９】
第１部品２１と第２部品２２との間には、中空部（図示略）が形成されている。この中空部内には、電気部品（図示略）が配置されている。電気部品は、電極部１４と、回転体１７の表面に設けられた回転体電極１７１と、把持部２６に配置された太陽電池パネル１８とのそれぞれと、図示しない経路により電気的に接続されている。その他は実施例１と同様である。
【００９０】
本例の美容器１０２は、実施例１と同様の作用効果を奏することができる。また、美容器１０２は、電極部１４、回転体電極１７１、電気部品及び人体を含む電流経路が形成された際に、この経路にマイクロカレントと呼ばれる微弱な電流を流すように構成されている。また、回転体１７を肌に当接させた状態で、把持部２６の長手方向に沿って美容器１０２を移動させることにより、一対の回転体１７により肌を摘み上げるようにマッサージを行うことができる。
【００９１】
本発明に係る美容器の態様は、上記実施例の態様に限定されることはなく、その趣旨を損なわない範囲で適宜構成を変更することができる。例えば、実施例１においては、ブラシ部３により肌の汚れ等を除去する機能及びイオンクレンジング機能を有する美容器１の例を示したが、美容器１は、イオン導入、ＥＭＳ（Electrical  Muscle  Stimulation）、超音波振動、光照射、肌の加温、肌の冷却等の、種々の機能を有する構成とすることもできる。
【００９２】
また、上記実施例においては、第１部品２１と第２部品２２との境界の全周に亘ってフランジ部２２３が露出している美容器１、１０２の例を示したが、フランジ部２２３は、上記境界の全周に亘って露出している必要はない。例えば、美容器１の前方Ｘ１の端部にはフランジ部２２３を設けず、前後方向Ｘにおける、ブラシ収容壁部２１４よりも後方、即ち使用者が把持する部分にのみフランジ部２２３を設けることもできる。この場合には、電極部１４とブラシ電極３２５との短絡をより容易に回避することができる。
【００９３】
電極部１４の位置及び形状は、美容器の用途等に応じて適宜変更することができる。例えば、上記実施例においては、電極部１４を第１部品２１と第２部品２２との境界に設けた例を示したが、第３部品２３の幅方向Ｙにおける中央部に第２部品２２の表面を露出させ、当該部分を電極部１４とすることもできる。
【００９４】
ハウジング２、２０２の形状は、棒状に限定されることはない。ハウジング２、２０２は、例えば、円板状あるいは楕円板状等の形状とすることもできる。
【００９５】
第２部品２２は、上記実施例のように、電気絶縁性を有する材料の表面に電気伝導性を有する皮膜を設けた構成としてもよいし、例えば、無垢の金属や導電性を有するプラスチック材料などの導電性を有する材料から構成することも可能である。また、導電性を有する材料の表面にクロムめっき膜を設け、意匠性をより高めることも可能である。
【００９６】
第３部品２３は、上記実施例のように、一体的に形成されていてもよいし、複数の部分に分割されていてもよい。例えば、実施例１における第３部品２３を、前後方向Ｘにおける前半部と後半部とに分割して形成してもよい。
【００９７】
また、第３部品２３の外表面には、ハウジング２を持ちやすくする、あるいは意匠性を高めるなどの目的で、種々の表面加工を施すこともできる。さらに、同様の目的で、第３部品２３の外表面に、皮革等を貼付することもできる。このように、第２部品２２の外表面の一部を第３部品で覆うことにより、ハウジング２のデザインの自由度を高くするという作用効果を得ることもできる。
【００９８】
また、第２部品の外表面の一部に絶縁性塗料を塗布する構成や、第２部品の外表面の一部に絶縁性材料を配置する構成を採用してもよい。この場合には、第２部品の外表面における、上述した絶縁性塗料や絶縁性材料等が設けられていない露出部分を電極部とすることができる。後者の構成は、例えば、導電性樹脂と絶縁性樹脂との二色成形や、導電性樹脂と絶縁性材料との一体成形などの公知の技術により実現することができる。
【００９９】
なお、本発明に係る美容器は、第２部品の一部が第３部品に覆われた構成を必須に具備しているが、上述した構成を採用する場合には、絶縁性塗料等が第３部品と同様の機能を奏するため、第３部品を設けない構成とすることもできる。
【符号の説明】
【０１００】
１、１０２  美容器
１２  電気部品
１４  電極部
２、２０２  ハウジング
２１  第１部品
２２  第２部品
２３  第３部品
２５  中空部
【図１】
2018007906.tif 000003
【図２】
2018007906.tif 000004
【図３】
2018007906.tif 000005
【図４】
2018007906.tif 000006
【図５】
2018007906.tif 000007
【図６】
2018007906.tif 000008
【図７】
2018007906.tif 000009
【図８】
2018007906.tif 000010
【図９】
2018007906.tif 000011
【図１０】
2018007906.tif 000012
【図１１】
2018007906.tif 000013
【図１２】
2018007906.tif 000014
【図１３】
2018007906.tif 000015
【図１４】
2018007906.tif 000016
【図１５】
2018007906.tif 000017
【図１６】
2018007906.tif 000018